(57)【要約】【課題】防犯性能（セキュリティー性）を維持したまま、暗証番号を覚えやすい施錠装置を提供すること。【解決手段】暗証情報が入力されることにより施錠状態の解錠が可能となる電子式施錠装置１であって、暗証情報を入力する入力キーパネル１０と、入力キーパネル１０により暗証情報が入力された際、施錠状態の解錠を行う制御部２０と解錠用ソレノイド５０と施錠ピン部材と、を備え、入力キーパネル１０は、暗証情報の候補として、０〜９の数字に加えて数字以外の無模様のブランクを１つ有している、ことを特徴とする電子式施錠装置１である。【選択図】図１
2020012294.tif 000002
【特許請求の範囲】
【請求項１】
暗証情報が入力又は位置合わせされることにより施錠状態の解錠が可能となる施錠装置であって、
前記暗証情報を入力又は位置合わせする暗証情報入力部と、
前記暗証情報入力部により前記暗証情報が入力又は位置合わせされた際、前記施錠状態の解錠を行う解錠部と、を備え、
前記暗証情報入力部は、前記暗証情報の候補として、複数個の数字に加えて前記数字以外の候補を少なくとも１つ有している、ことを特徴とする施錠装置。
【請求項２】
前記暗証情報入力部は、前記暗証情報を入力可能な複数の入力キーを有し、
前記複数の入力キーの表面には、前記複数個の数字として０及び１から９までの数字と、前記数字以外の１つの前記候補とがそれぞれ配置されており、
前記暗証情報は、前記数字と前記数字以外の前記候補の組み合わせが可能な複数桁の情報である、ことを特徴とする請求項１に記載の施錠装置。
【請求項３】
前記暗証情報入力部は、前記暗証情報を位置合わせ出来る様に回動可能な複数のリング状部材を有し、
前記複数の各リング状部材の外周面上には、前記複数個の数字として０及び１から９までの数字と、前記数字以外の１つの前記候補とがそれぞれ配置されており、
前記暗証情報は、前記数字と前記数字以外の前記候補の組み合わせが可能な複数桁の情報である、ことを特徴とする請求項１に記載の施錠装置。
【請求項４】
前記暗証情報は変更可能である、ことを特徴とする請求項１乃至３の何れか一つに記載の施錠装置。
【請求項５】
前記数字以外の前記候補は何も表示しないブランクである、ことを特徴とする請求項１乃至４の何れか一つに記載の施錠装置。
【発明の詳細な説明】
【技術分野】
【０００１】
本発明は、施錠装置に関する。
【背景技術】
【０００２】
従来、ロッカーや家庭用の金庫等の盗難防止用の電子式錠前としては、０〜９までの１０種類の数字の組み合わせにより構成された暗証番号を、入力用テンキーパネルから入力することで施錠状態の解錠が行える所謂テンキー錠等が知られている。
【０００３】
また、郵便受けの郵便物や駐車自転車等の盗難防止用の機械式錠前としては、０〜９までの１０種類の数字が外周面上に刻印された複数のダイヤル盤のそれぞれを、所定の暗証番号の配列に一致する様に位置合わせすることで施錠状態の解錠が行える所謂ダイヤル錠等が知られている。
【０００４】
これらの錠前は、何れも暗証番号により解錠出来るので、解錠用のカギを携帯しておく必要がなく、また、暗証番号の桁数が増えるほど、防犯性は高くなる。
【発明の概要】
【発明が解決しようとする課題】
【０００５】
しかしながら、この様な従来の錠前の使用者は、解錠用の暗証番号を覚えておく必要があるため、暗証番号の桁数が増えるほど当該使用者にとっては大きな負担となるという問題がある。
【０００６】
本発明は、上記従来の錠前のこの様な課題に鑑みて、従来に比べて暗証番号を覚えやすい施錠装置を提供することを目的とする。
【課題を解決するための手段】
【０００７】
第１の本発明は、
暗証情報が入力又は位置合わせされることにより施錠状態の解錠が可能となる施錠装置であって、
前記暗証情報を入力又は位置合わせする暗証情報入力部と、
前記暗証情報入力部により前記暗証情報が入力又は位置合わせされた際、前記施錠状態の解錠を行う解錠部と、を備え、
前記暗証情報入力部は、前記暗証情報の候補として、複数個の数字に加えて前記数字以外の候補を少なくとも１つ有している、ことを特徴とする施錠装置である。
【０００８】
また、第２の本発明は、
前記暗証情報入力部は、前記暗証情報を入力可能な複数の入力キーを有し、
前記複数の入力キーの表面には、前記複数個の数字として０及び１から９までの数字と、前記数字以外の１つの前記候補とがそれぞれ配置されており、
前記暗証情報は、前記数字と前記数字以外の前記候補の組み合わせが可能な複数桁の情報である、ことを特徴とする上記第１の本発明の施錠装置である。
【０００９】
また、第３の本発明は、
前記暗証情報入力部は、前記暗証情報を位置合わせ出来る様に回動可能な複数のリング状部材を有し、
前記複数の各リング状部材の外周面上には、前記複数個の数字として０及び１から９までの数字と、前記数字以外の１つの前記候補とがそれぞれ配置されており、
前記暗証情報は、前記数字と前記数字以外の前記候補の組み合わせが可能な複数桁の情報である、ことを特徴とする上記第１の本発明の施錠装置である。
【００１０】
また、第４の本発明は、
前記暗証情報は変更可能である、ことを特徴とする上記第１乃至第３の何れか一つの本発明の施錠装置である。
【００１１】
また、第５の本発明は、
前記数字以外の前記候補は何も表示しないブランクである、ことを特徴とする上記第１乃至第４の何れか一つの本発明の施錠装置である。
【発明の効果】
【００１２】
本発明によれば、従来に比べて暗証番号を覚えやすいという効果を発揮する。
【図面の簡単な説明】
【００１３】
【図１】本発明の施錠装置の一実施の形態のキー入力タイプの電子式施錠装置を電子金庫に適用した場合の概略構成を示すブロック図
【図２】（ａ）：本発明の施錠装置の別の実施の形態のダイヤルタイプのダイヤル錠の外観を示す概略斜視図、（ｂ）：図２（ａ）のダイヤル錠のダイヤル盤とその近傍の拡大側面図
【発明を実施するための形態】
【００１４】
以下に、本発明の施錠装置の実施の形態について、図面を用いて説明する。
【００１５】
図１は、本発明の施錠装置の一実施の形態のキー入力タイプの電子式施錠装置１を電子金庫に適用した場合の概略構成を示すブロック図である。
【００１６】
本実施の形態の電子金庫（図示省略）は、立方体状の箱状形態を成しており、貴重品等の収納が可能な収納スペースを内部に有する金庫本体部（図示省略）と、その金庫本体部の前面に開閉可能に設けられた扉部（図示省略）と、当該扉部に搭載された電子式施錠装置１（図１参照）と、から構成されている。扉部の表面の左側には、開閉用のレバー（図示省略）が設けられている。
【００１７】
なお、本実施の形態の電子式施錠装置１において取り扱い可能な暗証情報は、４桁〜８桁（４個〜８個）の間の任意の桁であるとする。
【００１８】
そして、当該扉部に搭載された電子式施錠装置１は、
【００１９】
（１）ユーザが暗証情報を入力したり、又は、暗証情報を設定したり若しくは変更したりするための入力キーパネル１０と、
【００２０】
（２）入力キーパネル１０から入力される４桁〜８桁（４個〜８個）の暗証情報を受け付けて、メモリ部２１に予め格納されている４桁〜８桁（４個〜８個）の所定の暗証情報と一致するか否かを判定し、一致していると判定した場合は、それまで点灯していた施錠ランプ３０に指令を出して消灯させ、且つ解錠ランプ４０に指令を出して点灯させると共に、それまで施錠状態の位置にあった解錠用ソレノイド５０に指令を出して解錠用ソレノイド５０を解錠状態の位置に移動させることにより、扉部に設けられた施錠ピン部材（図示省略）を施錠状態から解錠状態に移動させる制御部２０と、
【００２１】
（３）暗証情報を設定したり若しくは変更する際に、ユーザによる入力キーパネル１０からの入力が、暗証情報を設定したり若しくは変更するための動作であることを制御部２０に事前に認識させるために、ユーザによる操作が可能で且つ扉部の内側に設けられた暗証情報設定スイッチ６０と、
【００２２】
（４）扉部が閉められたことを検知し、その検知結果を制御部２０に出力する扉部閉鎖検知センサ７０と、
を備えている。
【００２３】
また、電子式施錠装置１の各部に電源を供給するための電池収納スペース（図示省略）が、扉部の内側に設けられている。
【００２４】
なお、上記施錠ランプ３０と解錠ランプ４０は、扉部の前面側であって上記入力キーパネル１０の上方に配置されている。また、上記制御部２０や解錠用ソレノイド５０は、扉部の内部に配置されている。
【００２５】
また、本実施の形態の施錠ピン部材は、解錠用ソレノイド５０の動きに連動して、扉部の厚み部分を成す端縁部から金庫本体部の内壁面に形成された嵌合用穴に向けて挿入又は挿入解除が可能に構成されており、施錠ピン部材が嵌合用穴に向けて挿入されると、扉部は施錠状態となり、また、施錠ピン部材が嵌合用穴から抜け出す方向に移動されると、扉部は解錠状態となって、扉部は自由に開く構成である。
【００２６】
また、本実施の形態の入力キーパネル１０は、扉部の前面側に設けられており、図１に示す様に、横方向に３個、縦方向に４個の合計１２個のプッシュスイッチが配置されている。また、当該入力キーパネル１０を構成する１２個のプッシュスイッチの表面には、左最上位置から右最下位置に向かって、１〜９の数字と、０の数字と、何も表示しない無模様（本願明細書では、単にブランクとも称す）と、Ｅｎｔｅｒの文字とが、順次配置されている。
【００２７】
そして、本実施の形態の入力キーパネル１０の、１〜９の数字と、０の数字とが配置された数字キー１０ａと、ブランクが配置されたブランクキー１０ｂとは、全て、４桁〜８桁（４個〜８個）の暗証情報に使用可能な暗証情報の候補となる。なお、Ｅｎｔｅｒの文字が配置されたキーは、Ｅｎｔｅｒキー１０ｃとする。
【００２８】
従って、例えば、ユーザが、４桁の暗証情報を設定する場合、全ての桁を１〜９の数字と、０の数字の中から選定しても良いが、４桁の内の最初と最後の桁については、１〜９の数字と、０の数字の中から選定し、その間の隣接する２桁の暗証情報には何れもブランクを選定しても良い。この場合の暗証情報は、例えば、「１、ブランク、ブランク、９」が挙げられる。
【００２９】
この様に暗証情報の中に数字以外の候補として「ブランク」を使用することにより、暗証情報を全て数字にして記憶する場合に比べて、ユーザにとって、暗証情報を記憶する負担が明らかに軽減される。何故ならば、「ブランク」は「数字」とは異なるものであるという点で印象的であり記憶に残り易く、また、「数字」の様に何番の数字であるかまで記憶する必要が無い点でも記憶の負担が軽くなるからである。
【００３０】
即ち、上記の様に、暗証情報の中に数字以外の候補として「ブランク」を使用した場合、ユーザにとっては、２桁の数字を記憶すると共に、その間にブランクを用いたことだけ記憶しておきさえすれば良く、２桁の数字を記憶する場合の負担に実質上近いと言えるので、４桁の数字を記憶する場合に比べて明らかに負担が軽減される。
【００３１】
しかも、暗証情報の桁数は、あくまで４桁であるため、防犯性能（セキュリティー性）を維持したまま、ユーザの暗証情報の記憶についての負担軽減を図ることが出来る。
【００３２】
なお、本実施の形態の入力キーパネル１０は、本発明の暗証情報入力部の一例にあたる。また、本実施の形態の制御部２０と解錠用ソレノイド５０と施錠ピン部材を包括する構成は、本発明の解錠部の一例にあたる。
【００３３】
次に、本実施の形態の電子式施錠装置１の動作について、図１を用いて説明する。
【００３４】
まず、ユーザは暗証情報の設定を行う。
【００３５】
即ち、ユーザは、扉部を開けた状態で、暗証情報設定スイッチ６０をＯＮにした後、入力キーパネル１０から自らが決めた暗証情報を設定する。
【００３６】
暗証情報として、例えば上述した「１、ブランク、ブランク、９」の４桁を設定する場合、ユーザは、数字キー１０ａの「１」を押し、次に、ブランクキー１０ｂを２回押し、次に、数字キー１０ａの「９」を押し、最後に、暗証情報の設定完了を指示するためのＥｎｔｅｒキー１０ｃを押す。
【００３７】
これにより、制御部２０は、入力キーパネル１０から入力されてきた「１、ブランク、ブランク、９」の４桁の情報が、新たな暗証情報であると判断して、メモリ部２１に予め格納されている暗証情報を、新たな暗証情報である「１、ブランク、ブランク、９」の４桁の情報により更新する。
【００３８】
次に、ユーザは、金庫本体部の収納スペースに保管対象物を収納した後、レバーを用いて、扉部を閉める。扉部閉鎖検知センサ７０が扉部が閉められたことを検知し、その検知結果が制御部２０に送信されると、制御部２０は、解錠用ソレノイド５０に指令を出して、解錠用ソレノイド５０を作動させて、扉部に設けられた施錠ピン部材を金庫本体部の内壁面に形成された嵌合用穴に向けて挿入させる。これにより、扉部は施錠状態となり、制御部２０は、施錠ランプ３０を点灯させる。
【００３９】
次に、ユーザが、施錠状態にある電子金庫の扉部を解錠する場合について説明する。
【００４０】
即ち、ユーザは、自らが記憶している暗証情報である「１、ブランク、ブランク、９」の４桁の情報を、入力キーパネル１０から順次入力して、最後に、暗証情報の入力の完了を指示するためのＥｎｔｅｒキー１０ｃを押す。
【００４１】
これにより、制御部２０は、入力キーパネル１０から入力された４桁の暗証情報を受け付けて、メモリ部２１に予め格納されている４桁の所定の暗証情報（即ち、「１、ブランク、ブランク、９」の４桁の暗証情報）と一致するか否かを判定する。この場合、制御部２０は一致していると判定することにより、それまで点灯していた施錠ランプ３０に指令を出して消灯させ、且つ解錠ランプ４０に指令を出して点灯させると共に、それまで施錠状態の位置にあった解錠用ソレノイド５０に指令を出して解錠用ソレノイド５０を解錠状態の位置に移動させることにより、扉部に設けられた施錠ピン部材（図示省略）を施錠状態から解錠状態に移動させる。
【００４２】
これにより、ユーザは、解錠ランプ４０が点灯したことを確認して、開閉用のレバーを操作することで、扉部を開くことが出来る。
【００４３】
以上説明した様に、本実施の形態の電子式施錠装置１によれば、ユーザが、記憶しておくべき暗証情報は、複数個の数字に加えて、数字以外のブランクを任意の位置に含めることが出来るので、全て数字だけの場合に比べて、防犯性能（セキュリティー性）を維持したまま、暗証情報を覚え易くなるという効果を発揮する。
【００４４】
また、暗証情報が覚え易くなるので、防犯性能（セキュリティー性）を高めるために暗証情報の桁数を増やしても、従来に比べてユーザの負担は軽減されるという効果を発揮する。
【００４５】
また、上記実施の形態（図１参照）では、暗証情報がユーザの操作によって、変更可能である場合について説明したが、これに限らず例えば、暗証情報は固定されており変更出来ない構成としても良い。この構成の場合でも、ユーザが、記憶しておくべき予め決められた暗証情報には、複数個の数字に加えて、数字以外の候補（例えば、ブランク）が含まれているので、全て数字だけの場合に比べて、防犯性能（セキュリティー性）を維持したまま、暗証情報を覚え易くなるという効果を発揮する。
【００４６】
また、上記実施の形態では、本発明の施錠装置の一例として、電子式施錠装置１を電子金庫に適用した場合について説明したが、これに限らず例えば、電子式施錠装置をロッカー等、どの様なものに適用しても良い。
【００４７】
また、上記実施の形態では、本発明の施錠装置の一例として、入力キーパネルから暗証情報を入力する電子式施錠装置１について説明したが、これに限らず例えば、複数のダイヤル盤を備えた機械式のダイヤル錠１００（図２（ａ）、図２（ｂ）参照）に適用しても良い。
【００４８】
ここで、図２（ａ）は、ダイヤル錠１００の外観を示す概略斜視図であり、図２（ｂ）は、ダイヤル錠１００のダイヤル盤とその近傍の拡大側面図である。
【００４９】
次に、図２（ａ）、図２（ｂ）を用いて、ダイヤル錠１００について説明する。
【００５０】
なお、ここでは、ダイヤル錠１００の暗証情報は４桁であり予め設定固定されておりユーザが変更することは出来ない構成である。また、このダイヤル錠１００の暗証情報は、「１、ブランク、ブランク、９」の４桁であるとする。
【００５１】
この構成の場合、ダイヤル錠１００は、図２（ａ）、図２（ｂ）に示す様に、
【００５２】
（１）略直方体形状のダイヤル錠本体１１０と、
【００５３】
（２）ダイヤル錠本体１１０に形成された４つの切り欠き部１１１に、それぞれ回動可能に配置された４つのリング状の第１ダイヤル盤１２１、第２ダイヤル盤１２２、第３ダイヤル盤１２３、及び第４ダイヤル盤１２４と、
【００５４】
（３）上端側１３０ａが下向きの略Ｕ字状に曲げられており、且つ、下端側１３０ｂが下向きに真っすぐに伸びてダイヤル錠本体１１０の上面から内部に挿入され下面側まで達している湾曲錠軸１３０と、
を備えている。
【００５５】
また、４つのリング状のダイヤル盤１２１〜１２４のそれぞれの外周面上には、０〜９までの１０個の数字が印字された数字領域１２０ａ及び無模様の１個のブランクが形成されたブランク領域１２０ｂのそれぞれが（図２（ｂ）参照）、同一幅に割り当てられて配置されている。ブランク領域１２０ｂは、９と０の数字領域１２０ａの間に配置されている（図２（ｂ）参照）。また、上記各ダイヤル盤１２１〜１２４のそれぞれの中心部には、湾曲錠軸１３０の下方に真っすぐに伸びた下端側１３０ｂがスライド移動可能に挿入された円形の貫通孔（図示省略）が形成されており、更に、各貫通孔の内縁部には予め設定された暗証情報（即ち「１、ブランク、ブランク、９」）に対応する位置に凹部（図示省略）が形成されている。
【００５６】
具体的には、第１ダイヤル盤１２１の場合、その外周面上の「１」の位置に対応する貫通孔の内縁部に上記凹部が形成されており、また、第２ダイヤル盤１２２の場合、その外周面上の「ブランク」の位置に対応する貫通孔の内縁部に上記凹部が形成されており、また、第３ダイヤル盤１２３の場合、その外周面上の「ブランク」の位置に対応する貫通孔の内縁部に上記凹部が形成されており、また、第４ダイヤル盤１２４の場合、その外周面上の「９」の位置に対応する貫通孔の内縁部に上記凹部が形成されている。
【００５７】
また、ダイヤル錠本体１１０の側面上部には、４つのダイヤル盤１２１〜１２４による暗証情報の位置合わせのための基準位置を示す矢印Ａ（図２（ａ）、図２（ｂ）参照）が印字されている。
【００５８】
即ち、矢印Ａの基準位置に対して、４つのダイヤル盤１２１〜１２４を位置合わせして、外周面上の各領域を縦方向に「１、ブランク、ブランク、９」となる様に並べると（図２（ｂ）参照）、予め設定された暗証情報と一致し、４つのダイヤル盤１２１〜１２４の内周縁部に形成された凹部の位置が縦方向（即ち、湾曲錠軸１３０の下端側１３０ｂの軸方向）の一直線上に揃う。
【００５９】
一方、湾曲錠軸１３０の下方に真っすぐに伸びた下端側１３０ｂの外周面には、縦方向（即ち、湾曲錠軸１３０の下端側１３０ｂの軸方向）に沿って凸歯１３１（図２（ｂ）参照）が所定間隔を隔てて４つ形成されている。
【００６０】
これら４つの凸歯１３１は、湾曲錠軸１３０が施錠位置にあるときに、上述した基準位置を示す矢印Ａの位置において縦方向に一直線上に揃う様に配置されている。
【００６１】
また、湾曲錠軸１３０が矢印Ｂ方向（図２（ａ）参照）に引き上げられて、湾曲錠軸１３０の下端側１３０ｂの最下端に形成された凸歯１３１が、側面視で、第３ダイヤル盤１２３と第４ダイヤル盤１２４の間に位置するときは、湾曲錠軸１３０は、下方に真っすぐに伸びた下端側１３０ｂを回動軸芯として何れの方向にも回動可能に構成されている。
【００６２】
なお、図２（ａ）、図２（ｂ）に示す構成例における、４つのダイヤル盤１２１〜１２４は、本発明の暗証情報入力部の一例にあたり、また、本発明のリング状部材の一例にあたる。また、同構成例における、４つのダイヤル盤１２１〜１２４の内周縁部に形成された凹部は、本発明の解錠部の一例にあたる。
【００６３】
上記構成により、ダイヤル錠１００を解錠する場合と、施錠する場合について説明する。
【００６４】
まず、湾曲錠軸１３０が施錠位置にあるときに（図２（ａ）の二点鎖線で示した湾曲錠軸１３０参照）、即ち、湾曲錠軸１３０の上端側１３０ａの端部１３０ａ１がダイヤル錠本体１１０の上面に設けられた穴部１１２に差し込まれて、湾曲錠軸１３０の下端側１３０ｂの最下端に形成された凸歯１３１が、側面視で、第４ダイヤル盤１２４の下方に位置するときに（図２（ｂ）参照）、ユーザが、矢印Ａの基準位置に対して、４つのダイヤル盤１２１〜１２４を位置合わせして、外周面上の各領域を縦方向に「１、ブランク、ブランク、９」となる様に並べると（図２（ｂ）参照）、４つのダイヤル盤の配列が予め設定された暗証情報と一致し、４つのダイヤル盤１２１〜１２４１２１〜１２４の内周縁部に形成された凹部の位置が縦方向（即ち、湾曲錠軸１３０の下端側１３０ｂの軸方向）の一直線上に揃う。これにより、４つの凸歯１３１が上方向に移動することを阻止するダイヤル盤の内周縁部の障壁が無くなった状態となり、即ち、４つのダイヤル盤１２１〜１２４の内周縁部に形成された凹部の位置が解錠状態となり、ユーザは、湾曲錠軸１３０を矢印Ｂ方向（図２（ａ）参照）に、湾曲錠軸１３０の下端側１３０ｂの最下端に形成された凸歯１３１が、側面視で、第３ダイヤル盤１２３と第４ダイヤル盤１２４の間に到達するまで引き上げることが出来ると共に湾曲錠軸１３０の上端側１３０ａの端部１３０ａ１がダイヤル錠本体１１０の上面に設けられた穴部１１２から抜け出して、湾曲錠軸１３０の上端側１３０ａを矢印Ｃに示す様に回動させることが出来る。
【００６５】
また、ダイヤル錠１００を施錠するときは、湾曲錠軸１３０の上端側１３０ａの端部１３０ａ１をダイヤル錠本体１１０の上面に設けられた穴部１１２に差し込んで、４つのダイヤル盤１２１〜１２４の少なくとも一つを回動させることにより、矢印Ａの基準位置に対する４つのダイヤル盤１２１〜１２４の配列が、上述した暗証情報と一致しない様にする。これにより、湾曲錠軸１３０に形成された４つの凸歯１３１の少なくとも一つが、ダイヤル盤の内周縁部の障壁に当接するので、湾曲錠軸１３０は矢印Ｂ方向にスライド移動出来ず、施錠状態となる。
【００６６】
以上説明した様に、本実施の形態のダイヤル錠１００によれば、ユーザが、記憶しておくべき暗証情報は固定式であるが、複数個の数字の他に、予め数字以外のブランクが含まれているので、全て数字だけの場合に比べて、防犯性能（セキュリティー性）を維持したまま、暗証情報を覚え易くなるという効果を発揮する。
【００６７】
また、暗証情報が覚え易くなるので、防犯性能（セキュリティー性）を高めるために暗証情報の桁数を増やしても、即ち、ダイヤル盤の数を増やしても従来に比べてユーザの負担は軽減されるという効果を発揮する。
【００６８】
また、上記実施の形態のダイヤル錠１００（図２（ａ）、図２（ｂ）参照）では、暗証情報が予め設定固定されており、ユーザの操作によって変更出来ない場合について説明したが、これに限らず例えば、各ダイヤル盤１２１〜１２４の貫通孔の内縁部において、上述した凹部（図示省略）を位置変更可能に設けることにより、暗証情報はユーザが変更可能な構成としても良い。この構成の場合でも、ユーザが、記憶しておくべき暗証情報には、複数個の数字に加えて、数字以外の候補（例えば、ブランク）を含めることが出来るので、全て数字だけの場合に比べて、防犯性能（セキュリティー性）を維持したまま、暗証情報を覚え易くなるという効果を発揮する。
【００６９】
また、上記実施の形態のダイヤル錠１００（図２（ａ）、図２（ｂ）参照）では、本発明の施錠装置の一例として、上端側１３０ａが略逆Ｕ字状に湾曲した湾曲錠軸１３０を有する錠前に適用した場合について説明したが、これに限らず例えば、錠軸が真っすぐな形状のダイヤル錠や、その他のタイプの錠前に適用しても良い。
【００７０】
なお、上記実施の形態では、暗証情報の候補として、０と１〜９の１０個の数字と、数字以外のブランク（何も表示しない無模様）を用いる場合について説明したが、これに限らず例えば、１〜９の９個の数字であっても良く、数字の個数に限定されるものではない。
【００７１】
また、上記実施の形態では、暗証情報の候補として、０と１〜９の１０個の数字と、数字以外のブランク（何も表示しない無模様）を用いる場合について説明したが、これに限らず例えば、数字以外の候補として、＃等の印を用いても良く、数字以外であればどの様な印を用いても良い。
【００７２】
また、上記実施の形態では、暗証情報の候補として、０と１〜９の１０個の数字と、数字以外の候補としてブランク（何も表示しない無模様）を１つ用いる場合について説明したが、これに限らず例えば、暗証情報として数字以外の候補を複数個用いる構成としても良い。
【００７３】
また、上記実施の形態では、入力キーパネル１０上で、数字以外の暗証情報の候補の一例としてのブランクキー１０ｂ（図１参照）を、０の数字キー１０ａとＥｎｔｅｒキー１０ｃとの間に配置した場合について説明したが、これに限らず例えば、１の数字キー１０ａの前に配置しても良いし、どこに配置しても構わない。
【００７４】
また、上記実施の形態では、各ダイヤル盤１２１〜１２４上で、数字以外の暗証情報の候補の一例としてのブランク領域１２０ｂを、９と０の数字領域１２０ａの間に配置（図２（ｂ）参照）した場合について説明したが、これに限らず例えば、ブランク領域１２０ｂを、０と１の数字領域１２０ａの間に配置しも良く、どこに配置しても良い。
【００７５】
また、上記実施の形態では、暗証情報が４桁に設定した場合について説明したが、これに限らず例えば、４桁以外の複数桁に設定しても良く、要するに、暗証情報の桁数に限定されるものではない。
【００７６】
また、本発明の施錠装置は、例えば、合鍵等を安全に保管するカギ収納ケース（所謂、キーボックス）に適用しても良く、その施錠や解錠の操作をダイヤル式（図２（ａ）、図２（ｂ）参照）又はキー入力式（図１参照）等のどのような機構で実施しても構わない。
【産業上の利用可能性】
【００７７】
本発明の施錠装置によれば、防犯性能（セキュリティー性）を維持したまま、従来に比べて暗証番号を覚えやすいという効果を発揮し、例えば、キー入力式の錠前やダイヤル式の錠前として有用である。
【符号の説明】
【００７８】
１      電子式施錠装置
１０    入力キーパネル
１０ａ  数字キー
１０ｂ  ブランクキー
１０ｃ  Ｅｎｔｅｒキー
２０    制御部
３０    施錠ランプ
４０    解錠ランプ
５０    解錠用ソレノイド
６０    暗証情報設定スイッチ
７０    扉部閉鎖検知センサ
１００  ダイヤル錠
１１０  ダイヤル錠本体
１２１  第１ダイヤル盤
１２２  第２ダイヤル盤
１２３  第３ダイヤル盤
１２４  第４ダイヤル盤
１３０  湾曲錠軸
１３１  凸歯
【図１】
2020012294.tif 000003
【図２】
2020012294.tif 000004